(57)【要約】  本発明は通信事業者が容易に規制情報と規制ガイダンスのカスタマイズが出来る機能を提供するもので、AS装置はMGW装置を介して端末からの接続開始要求を受付けると、規制状態を確認し、規制状態にない場合には端末と接続し、規制状態にある場合には、規制種別Keyを取得し、取得した前記規制種別Keyを付与した信号をMGW装置へ送信し、MGW装置は、信号を受付けると、規制種別Keyを取得し、規制種別Keyに対応するデータを用いて規制内容を示す規制ガイダンス信号を編集して前記端末へ送信する。
2009130931.tif 000002
【特許請求の範囲】
【請求項１】
呼制御処理を行うMGW装置と、サービス制御処理を行うAS装置とを備えるIMSシステムにおいて、
前記AS装置は、現在の規制状態を保持するAS装置記憶部と、通信事業者により独自に制定された規制内容と規制種別Keyとが対応付けられて格納された通信事業者独自規制情報管理テーブルと、を具備し、
前記MGW装置を介して端末からの接続開始要求を受付けると、前記AS装置記憶部を参照して規制状態を確認し、規制状態にない場合には前記端末と接続し、規制状態にある場合には、前記通信事業者独自規制情報管理テーブルより対応する規制種別Keyを取得し、取得した前記規制種別Keyを付与した信号を前記MGW装置へ送信し、
前記MGW装置は、規制種別Keyと規制ガイダンス種別Keyとが対応付けられて格納された規制情報種別−ガイダンス種別対応テーブルと、各種の規制内容を表すデータを前記規制種別Keyに対応させて格納するMGW装置記憶部とを具備し、
前記端末からの接続開始要求を受付けると前記AS装置へ送信し、その後、前記AS装置より前記信号を受付けると、前記規制種別Keyを取得し、前記MGW装置記憶部に取得した規制種別Keyに対応して格納されているデータを用いて規制内容を示す規制ガイダンス信号を編集して前記端末へ送信することを特徴とするIMSシステム。
【請求項２】
請求項１記載のIMSシステムにおいて、
規制状態にある場合に前記AS装置より前記MGW装置へ送られる信号は、Reasonヘッダのtextパラメータに、取得した前記規制種別Keyが付与されたIMS標準の503信号であることを特徴とするIMSシステム。
【請求項３】
呼制御処理を行うMGW装置とともにIMSシステムを構成する、サービス制御処理を行うAS装置において、
現在の規制状態を保持するAS装置記憶部と、通信事業者により独自に制定された規制内容と規制種別Keyとが対応付けられて格納された通信事業者独自規制情報管理テーブルと、を具備し、
前記MGW装置を介して端末からの接続開始要求を受付けると、前記AS装置記憶部を参照して規制状態を確認し、規制状態にない場合には前記端末と接続し、規制状態にある場合には、前記通信事業者独自規制情報管理テーブルより対応する規制種別Keyを取得し、取得した前記規制種別Keyを付与した信号を前記MGW装置へ送信することを特徴とするAS装置。
【請求項４】
サービス制御処理を行うAS装置とともにIMSシステムを構成する、呼制御処理を行うMGW装置において、
規制種別Keyと規制ガイダンス種別Keyとが対応付けられて格納された規制情報種別−ガイダンス種別対応テーブルと、各種の規制内容を表すデータを前記規制種別Keyに対応させて格納するMGW装置記憶部とを具備し、
前記端末からの接続開始要求を受付けると前記AS装置へ送信し、その後、前記AS装置より前記規制種別Keyが付与された信号を受付けると、前記規制種別Keyを取得し、前記MGW装置記憶部に取得した規制種別Keyに対応して格納されているデータを用いて規制内容を示す規制ガイダンス信号を編集して前記端末へ送信することを特徴とするMGW装置。
【請求項５】
規制種別Keyと規制ガイダンス種別Keyとが対応付けられて格納された規制情報種別−ガイダンス種別対応テーブルと、各種の規制内容を表すデータを前記規制種別Keyに対応させて格納するMGW装置記憶部とを具備し、呼制御処理を行うMGW装置と、現在の規制状態を保持するAS装置記憶部と、通信事業者により独自に制定された規制内容と規制種別Keyとが対応付けられて格納された通信事業者独自規制情報管理テーブルとを具備し、サービス制御処理を行うAS装置と、を備えるIMSシステムで行われる輻輳規制通知方法であって、
前記MGW装置が、端末からの接続開始要求を受付けて前記AS装置へ送信するステップと、
前記MGW装置を介して端末からの接続開始要求を受付けた前記AS装置が、前記AS装置記憶部を参照して規制状態にあることを確認し、前記通信事業者独自規制情報管理テーブルより対応する規制種別Keyを取得し、取得した前記規制種別Keyを付与した信号を前記MGW装置へ送信するステップと、
前記AS装置より前記信号を受付けた前記MGW装置が、前記規制種別Keyを取得し、前記MGW装置記憶部に取得した規制種別Keyに対応して格納されているデータを用いて規制内容を示す規制ガイダンス信号を編集して前記端末へ送信するステップとを有することを特徴とするIMSシステムで行われる輻輳規制通知方法。
【発明の詳細な説明】
【技術分野】
【０００１】
本発明は、AS（Application  Server）装置、および、MGW（Media  Gateway）装置を含むIMS（IP  Multimedia  Subsystem）システムに関し、特に、輻輳状態に応じた制御を行う方法およびシステムに関する。
【背景技術】
【０００２】
次世代ネットワーク（NGN：Next  Generation  Network  ）を実現するためのシステムの一つとして、例えば、特許文献１（特開２００７−２１５１７５号公報）等に開示されるIMSシステムが提案されている。【０００３】
交換機ベースのシステムでは、通信事業者が独自に制定する輻輳規制制御処理やガイダンス接続処理を適用している。交換機システムからIMSシステムに更改するときに、IMSシステムにおいても同様な処理を行うものとしている。【０００４】
IMS標準では、輻輳状態に遭遇した場合にノードが伝達する信号として503信号を規定しており、503信号では理由コードを付与するReasonヘッダを規定し、Reasonヘッダに対象プロトコル（protocol）、原因（cause）、情報設定パラメータ（reason-text）を規定している。
【特許文献１】特開２００７−２１５１７５号公報
【発明の開示】
【発明が解決しようとする課題】
【０００５】
交換機システムからIMSシステムに更改するときに、次のような課題がある。【０００６】
第１の課題は、IMS標準の503信号では、従来の交換機システムで実現していた輻輳要因毎に接続先の規制ガイダンスを選択する方式が規定されていない。そのため、従来の交換機システムからIMSシステムへの更改の場合に、交換機システムと同等のガイダンス接続処理が提供出来ない場合があり、システム更改の妨げになる可能性がある。【０００７】
第２の課題は、サービス制御を行うAS装置と呼接続を行うMGW装置の間で、規制情報を相互伝達し、規制情報を基に移動機端末に接続させるガイダンス情報を選択設定する方式が規定されていない。そのため、遭遇中の規制状態とそのときに接続するガイダンス情報の対応付けが出来ずに、通信事業者毎に独自に実現する必要があるガイダンス接続処理について、通信事業者毎のカスタマイズが困難になる場合があり、システム更改の妨げになる可能性がある。【０００８】
本発明の目的は、IMS標準で規定する情報設定パラメータ（reason-text）を使用して、通信事業者が独自に制定するノード間での規制情報の設定を可能とし、通信事業者が独自に制定する規制情報と規制ガイダンスの対応付けを行うことで、通信事業者が容易に規制情報と規制ガイダンスのカスタマイズが出来る機能を提供することにある。また、これら機能を提供することで、交換機システムからIMSシステムへの更改を促すことで、通信ネットワークのIP化を加速させることにある。
【課題を解決するための手段】
【０００９】
本発明のIMSシステムは、呼制御処理を行うMGW装置と、サービス制御処理を行うAS装置とを備えるIMSシステムにおいて、
前記AS装置は、現在の規制状態を保持するAS装置記憶部と、通信事業者により独自に制定された規制内容と規制種別Keyとが対応付けられて格納された通信事業者独自規制情報管理テーブルと、を具備し、
前記MGW装置を介して端末からの接続開始要求を受付けると、前記AS装置記憶部を参照して規制状態を確認し、規制状態にない場合には前記端末と接続し、規制状態にある場合には、前記通信事業者独自規制情報管理テーブルより対応する規制種別Keyを取得し、取得した前記規制種別Keyを付与した信号を前記MGW装置へ送信し、
前記MGW装置は、規制種別Keyと規制ガイダンス種別Keyとが対応付けられて格納された規制情報種別−ガイダンス種別対応テーブルと、各種の規制内容を表すデータを前記規制種別Keyに対応させて格納するMGW装置記憶部とを具備し、
前記端末からの接続開始要求を受付けると前記AS装置へ送信し、その後、前記AS装置より前記信号を受付けると、前記規制種別Keyを取得し、前記MGW装置記憶部に取得した規制種別Keyに対応して格納されているデータを用いて規制内容を示す規制ガイダンス信号を編集して前記端末へ送信することを特徴とする。【００１０】
本発明のAS装置は、呼制御処理を行うMGW装置とともにIMSシステムを構成する、サービス制御処理を行うAS装置において、
現在の規制状態を保持するAS装置記憶部と、通信事業者により独自に制定された規制内容と規制種別Keyとが対応付けられて格納された通信事業者独自規制情報管理テーブルと、を具備し、
前記MGW装置を介して端末からの接続開始要求を受付けると、前記AS装置記憶部を参照して規制状態を確認し、規制状態にない場合には前記端末と接続し、規制状態にある場合には、前記通信事業者独自規制情報管理テーブルより対応する規制種別Keyを取得し、取得した前記規制種別Keyを付与した信号を前記MGW装置へ送信することを特徴とする。【００１１】
本発明のMGW装置は、サービス制御処理を行うAS装置とともにIMSシステムを構成する、呼制御処理を行うMGW装置において、
規制種別Keyと規制ガイダンス種別Keyとが対応付けられて格納された規制情報種別−ガイダンス種別対応テーブルと、各種の規制内容を表すデータを前記規制種別Keyに対応させて格納するMGW装置記憶部とを具備し、
前記端末からの接続開始要求を受付けると前記AS装置へ送信し、その後、前記AS装置より前記規制種別Keyが付与された信号を受付けると、前記規制種別Keyを取得し、前記MGW装置記憶部に取得した規制種別Keyに対応して格納されているデータを用いて規制内容を示す規制ガイダンス信号を編集して前記端末へ送信することを特徴とする。【００１２】
本発明のIMSシステムで行われる輻輳規制通知方法は、規制種別Keyと規制ガイダンス種別Keyとが対応付けられて格納された規制情報種別−ガイダンス種別対応テーブルと、各種の規制内容を表すデータを前記規制種別Keyに対応させて格納するMGW装置記憶部とを具備し、呼制御処理を行うMGW装置と、現在の規制状態を保持するAS装置記憶部と、通信事業者により独自に制定された規制内容と規制種別Keyとが対応付けられて格納された通信事業者独自規制情報管理テーブルとを具備し、サービス制御処理を行うAS装置と、を備えるIMSシステムで行われる輻輳規制通知方法であって、
前記MGW装置が、端末からの接続開始要求を受付けて前記AS装置へ送信するステップと、
前記MGW装置を介して端末からの接続開始要求を受付けた前記AS装置が、前記AS装置記憶部を参照して規制状態にあることを確認し、前記通信事業者独自規制情報管理テーブルより対応する規制種別Keyを取得し、取得した前記規制種別Keyを付与した信号を前記MGW装置へ送信するステップと、
前記AS装置より前記信号を受付けた前記MGW装置が、前記規制種別Keyを取得し、前記MGW装置記憶部に取得した規制種別Keyに対応して格納されているデータを用いて規制内容を示す規制ガイダンス信号を編集して前記端末へ送信するステップとを有することを特徴とする。
【図面の簡単な説明】
【００１３】
【図１】本発明の一実施形態の要部構成を示すブロック図である。
【図２】図１に示した実施形態の動作する状態を示す図である。
【図３】図２中の通信事業者独自規制情報管理テーブル２１の格納情報を示す図である。
【図４】図２中の規制情報種別−ガイダンス種別対応テーブル２２の格納情報を示す図である。
【図５】AS装置１における通信事業者独自規制情報の設定処理動作を示すフローチャートである。
【図６】MGW装置２における規制ガイダンス情報の設定処理動作を示すフローチャートである。
【発明を実施するための最良の形態】
【００１４】
次に、本発明の実施形態について、図面を参照して説明する。【００１５】
図１は本発明によるIMSシステムの一実施形態の要部構成を示すブロック図である。【００１６】
図１において、AS装置１はサービス制御処理を司る装置の１つであり、サービス制御処理の１つとして輻輳規制制御機能を具備している。MGW装置２は呼制御処理を司る装置の１つであり、移動機間の呼接続処理等を具備する。移動機端末３は、携帯電話やIMS網サービスを利用する電話機を示している。【００１７】
起呼信号１１は移動機端末３からMGW装置２に対して送信する通信の接続開始要求信号であり、起呼信号１２は起呼信号１１を受けてMGW装置２からAS装置１に対する通信の接続開始要求信号である。【００１８】
切断信号１３はAS装置１からMGW装置２に対して送信する通信の切断要求信号であり、規制ガイダンス信号１４は切断信号１３を受けてMGW装置２から移動機３に対して送信する通信のガイダンス接続信号である。【００１９】
図２は、上記の各信号に応じて、AS装置１およびMGW装置２が動作する状態を示す図である。AS装置１は通信事業者独自規制情報管理テーブル２１を備え、MGW装置２は規制情報種別−ガイダンス種別対応テーブル２２を備えており、AS装置１およびMGW装置２のそれぞれは各テーブルを参照して動作を行う。【００２０】
なお、AS装置１およびMGW装置２は、入力装置、出力装置、記憶装置および制御装置からなる一般的なコンピュータシステムにより構成されるもので、上記の通信事業者独自規制情報管理テーブル２１および規制情報種別−ガイダンス種別対応テーブル２２は記憶装置に格納されているが、これ以外の構成として、外部の記憶装置に格納されるものとしてもよい。【００２１】
通信事業者独自規制情報管理テーブル２１は、通信事業者が独自に制定する規制内容と規制種別Keyが対応付けられて格納されている。規制種別−ガイダンス種別対応テーブル２２は、通信事業者が独自に制定する規制内容と規制種別Keyと通信事業者が独自に制定する規制ガイダンス種別Keyとが対応付けられて格納されている。【００２２】
図３は、通信事業者独自規制情報管理テーブル２１の格納情報を示す図である。図３に示されるように、通信事業者独自規制情報管理テーブル２１では、規制種別Keyと通信事業者毎に独自制定が可能な規制内容が対応付けられたテーブル構成が実現されている。【００２３】
図４は、規制情報種別−ガイダンス種別対応テーブル２２の格納情報を示す図である。図４に示されるように、規制情報種別−ガイダンス種別対応テーブル２２では、規制種別Keyと通信事業者毎に独自制定が可能な規制内容と規制ガイダンス種別Keyとが対応付けられたテーブル構成が実現されている。【００２４】
なお、本実施形態では、通信事業者独自規制情報管理テーブル２１のデータと規制種別−ガイダンス種別対応テーブル２２のデータは、通信事業者の通信ネットワークの監視を行う保守監視装置等から更新を行うことで、データの更新とノード間のデータの同期化を行うことを可能とする。【００２５】
本実施形態の概略動作を言うと、移動機端末３からMGW装置２に対して起呼信号１１が送信され、MGW装置２からAS装置１に対して起呼信号１２が送信される。AS装置１は、MGW装置２から起呼信号１２を受信すると、自システムの輻輳規制処理の発動状況をチェックし、規制による切断が必要と判断した場合には通信事業者独自の規制内容に基づいた切断信号（種別：規制）１３を、MGW装置２に対して送信する。【００２６】
MGW装置２は、AS装置１から切断信号（種別：規制）１３を受信した場合に、切断信号（種別：規制）１３から通信事業者独自の規制内容を取得し、通信事業者独自の規制内容をキーとして、MGW装置２内部で管理する規制ガイダンス情報を検索し、適切な規制ガイダンス情報を設定した形で、移動機端末３に対して規制ガイダンス信号１４を送信する。【００２７】
図１、図２に示す通信事業者毎に独自制定する規制処理、および通信事業者毎に独自制定する規制ガイダンス接続処理の動作について、図５および図６に示すフローチャートを参照して説明する。【００２８】
図５はAS装置１における通信事業者独自規制情報の設定処理動作を示すフローチャートである。【００２９】
AS装置１は、現在の規制内容を内部のメモリやディスク等の記憶部（不図示）に保持しており、MGW装置２から起呼信号１２を受信すると（ステップ１０１）、記憶部を参照して現在の規制内容の判定を行う（ステップ１０２）。【００３０】
ステップ１０２における判定の結果、規制中であることが確認された場合には、通信事業者独自規制管理テーブル２１から現在の規制内容を規定する規制種別Keyを取得し（ステップ１０３）、IMS標準で規制状態遭遇時の切断を伝達する503信号の編集処理においてReasonヘッダのtextパラメータに対して取得した規制種別Keyを設定し（ステップ１０４）、図２における切断信号１３としてMGW装置２に対して送信し（ステップ１０５）、終了する。【００３１】
ステップ１０２における判定の結果、規制中でないことが確認された場合には、MGW装置２との接続処理を行い（ステップ１０６）、終了する。【００３２】
図６は、MGW装置２における規制ガイダンス情報の設定処理動作を示すフローチャートである。【００３３】
MGW装置２は、AS装置１から切断信号１３である503信号を受信すると（ステップ２０１）、503信号に含まれるReasonヘッダのtextパラメータから通信事業者独自の規制種別Keyの取得を行う（ステップ２０２）。【００３４】
ステップ２０２にて、規制種別Keyを取得すると、取得した規制種別Keyを基に規制種別−ガイダンス種別対応テーブル２２を検索して（ステップ２０３）規制ガイダンス種別Keyを取得する。【００３５】
MGW装置２は、各種の規制内容を表す音声データや表示データを規制種別Keyに対応させて格納する記憶部（不図示）を備えるものであり、取得したガイダンス種別Keyを基に記憶部に格納されている音声データや表示データを読み出して規制内容を移動機端末３の利用者に説明する規制ガイダンス信号１４の編集を行い（ステップ２０４）、移動機端末３に対して規制ガイダンス信号１４の送信を行う（図４の２０５）。移動機端末３では、規制ガイダンス信号１４により輻輳要因に相応しいガイダンスが接続される。【００３６】
上記のようにして、本実施形態では、IMSシステムにおいてAS装置とMGW装置で連携して通信事業者独自の詳細な輻輳規制情報の受け渡しを行い、MGW装置で通信事業者独自のガイダンス情報の送信を実現出来ることで、従来の交換機ベースシステムと同等の輻輳規制制御方法を実現し、従来システムからIMSシステムへの更改を円滑に推進することが出来る。【００３７】
本発明の他の実施形態として、その基本的構成は上記の通りであるが、AS装置からMGW装置に対して送信する503信号に含まれるReasonヘッダのtextパラメータに対して通信事業者独自規制情報の設定を行っているが、通信事業者独自に設ける信号やパラメータに設定して通知することとしてもよい。【００３８】
また、通信事業者が独自に制定する規制情報や規制ガイダンス情報の管理方法について、本発明ではAS装置における通信事業者独自規制情報管理テーブル、MGW装置における規制種別−ガイダンス種別対応テーブルで管理する形で構成しているが、１つの装置で縮退する方法や１つのテーブルに縮退し管理することとしてもよい。【００３９】
また、AS装置における通信事業者独自規制情報管理テーブルとMGW装置における規制種別−ガイダンス種別対応テーブルのデータの管理方法について、本実施形態では通信事業者の通信ネットワークの監視を行う保守監視装置等から更新を行うことで、データの更新とノード間のデータの同期化を行う形で構成しているが、装置インストール時の初期設定のみで保守監視装置からの更新を行わない形やデータの同期をとらない形態としてもよい。【００４０】
サービス制御を行うAS装置において、通信事業者毎に独自制定する規制情報管理テーブルを設けることで、通信事業者毎の規制情報のカスタマイズ対応を可能とする。【００４１】
呼接続を行うMGW装置において、通信事業者毎に独自制定する規制情報と規制ガイダンス情報対応テーブルを設けることで、通信事業者毎の規制ガイダンス情報のカスタマイズ対応を可能とする。【００４２】
上記のように構成される本実施形態においては、以下に記載するような効果を奏する。【００４３】
IMS標準で規定する情報設定パラメータを使用して、通信事業者で独自制定する規制情報をノード間で伝達することが出来ることである。これにより、通信事業者が独自パラメータや独自信号を設けることなく、IMS標準の範囲内で通信事業者独自の規制処理を実現出来る。【００４４】
また、サービス制御を行うAS装置において、通信事業者毎に独自制定する規制情報を管理するテーブルを設けることにより、通信事業者が独自に制定する規制情報を容易にカスタマイズすることが可能となる。【００４５】
また、呼接続を行うMGW装置において、通信事業者毎に独自制定する規制情報と規制ガイダンス情報の対応付けを行うテーブルを設けることにより、通信事業者が独自に制定する規制ガイダンス情報を容易にカスタマイズすることが可能となる。【００４６】
また、規制ガイダンス情報を容易にカスタマイズすることが可能であることから、従来の交換機システムからIMSシステムへの更改の場合に、交換機システムと同等の規制処理およびガイダンス接続処理が提供出来ることで、IMSシステムへの更改を促すことを可能とする。【００４７】
以上、実施形態を参照して本願発明を説明したが、本願発明は上記実施形態に限定されるものではない。第一の実施の形態において一例を示したのと同様に、本願発明の構成や詳細には、本願発明のスコープ内で当業者が理解し得る様々な変更をすることができる。【００４８】
この出願は２００８年４月２１日に出願された日本出願特願２００８−１１０３９７号を基礎とする優先権を主張し、その開示の全てをここに取り込む。
【符号の説明】
【００４９】
１    AS装置
２    MGW装置
１１，１２    起呼信号
１３    切断信号
１４    規制ガイダンス信号
２１    通信事業者独自規制情報管理テーブル
２２    規制情報種別−ガイダンス種別対応テーブル
【図１】
2009130931.tif 000003
【図２】
2009130931.tif 000004
【図３】
2009130931.tif 000005
【図４】
2009130931.tif 000006
【図５】
2009130931.tif 000007
【図６】
2009130931.tif 000008
【国際調査報告】
2009130931.tif 000009
2009130931.tif 000010